(57)【要約】【課題】  ｎｍ（ナノメータ）サイズの発光部の集合体である固体発光手段からなる発光装置を用いて、画素ズレのない状態でカラー画像記録を行う。【解決手段】  記録ヘッドを用いて、記録材料に記録を行う画像形成装置であって、前記記録ヘッドは、ｎｍ（ナノメータ）サイズの絶縁被膜結晶微粒子とナノメータサイズの蛍光体微粒子とを積層または混合した発光薄膜と、この発光薄膜を挟持すると共に印加される電圧により前記発光薄膜を発光せしめる電極とからなる発光部を有し、絶縁被膜結晶微粒子と蛍光体微粒子とのいずれかの組成を変えることで互いに異なる波長で発光する複数の発光部が積層して構成されている、ことを特徴とする。【選択図】      図１
2005215164.tif 000002
【特許請求の範囲】
【請求項１】
記録ヘッドを用いて、記録材料に記録を行う画像形成装置であって、
前記記録ヘッドは、ｎｍ（ナノメータ）サイズの絶縁被膜結晶微粒子とナノメータサイズの蛍光体微粒子とを積層または混合した発光薄膜と、この発光薄膜を挟持すると共に印加される電圧により前記発光薄膜を発光せしめる電極とからなる発光部を有し、絶縁被膜結晶微粒子と蛍光体微粒子とのいずれかの組成を変えることで互いに異なる波長で発光する複数の発光部が積層して構成されている、
ことを特徴とする画像記録装置。
【請求項２】
前記複数の発光部のうちの少なくとも最も光出射面に近くに設けられた以外の発光部について、光出射面側に透過させるべき波長以外の光を遮断する光学フィルタ手段が設けられた、
ことを特徴とする請求項１記載の画像記録装置。
【請求項３】
記録すべきデータに応じて前記発光部の発光状態を制御する制御手段を備え、
前記制御手段は、積層された複数の各発光部について、時分割で異なるタイミングで発光させる、
ことを特徴とする請求項１または請求項２のいずれかに記載の画像形成装置。
【請求項４】
前記発光部として、積層された発光部のそれぞれで、複数発光部の集合領域を１記録素子に対応させておき、
記録すべきデータに応じて前記発光部の発光状態を制御する制御手段を備え、
前記制御手段は、積層された複数のそれぞれの発光部について、集合領域内で発光させる領域を変化させる、
ことを特徴とする請求項１または請求項２のいずれかに記載の画像形成装置。
【請求項５】
記録すべきデータに応じて前記発光部の発光状態を変化させるように駆動する駆動手段を備え、
前記駆動手段は、記録すべきデータに応じて、発光部に印加する電圧を変化させる、
ことを特徴とする請求項１乃至請求項４のいずれかに記載の画像形成装置。
【請求項６】
記録すべきデータに応じて前記発光部の発光状態を変化させるように駆動する駆動手段を備え、
前記駆動手段は、記録すべきデータに応じて、単位時間内の発光部の発光回数を変化させる、
ことを特徴とする請求項１乃至請求項４のいずれかに記載の画像形成装置。
【請求項７】
記録すべきデータに応じて前記発光部の発光状態を変化させるように駆動する駆動手段を備え、
前記駆動手段は、記録すべきデータに応じて、単位時間内の発光部の発光時間を変化させる、
ことを特徴とする請求項１乃至請求項４のいずれかに記載の画像形成装置。
【請求項８】
前記発光部として、積層された発光部のそれぞれで、複数発光部の集合領域を１記録素子に対応させておき、
前記発光部の集合領域をアレイ状に少なくとも主走査方向記録領域をカバーするように複数配置する、
ことを特徴とする請求項１乃至請求項７のいずれかに記載の画像形成装置。
【請求項９】
記録すべきデータに応じて前記発光部の発光状態を制御する制御手段を備え、
前記発光部として、積層された発光部のそれぞれで、複数発光部の集合領域を１記録素子に対応させておき、
前記制御手段は、発光中の発光部が対応する記録素子に隣接する記録素子の発光部を発光させないように制御する、
ことを特徴とする請求項１乃至請求項８のいずれかに記載の画像形成装置。
【請求項１０】
記録すべきデータに応じて前記発光部の発光状態を制御する制御手段を備え、
前記発光部として、積層された発光部のそれぞれで、複数発光部の集合領域を１記録素子に対応させておき、
前記制御手段は、前記各集合領域の発光量が均一になるように発光状態を制御する、
ことを特徴とする請求項１乃至請求項９のいずれかに記載の画像形成装置。
【請求項１１】
前記記録材料としてハロゲン化銀感光材料に露光記録を行う画像形成装置であって、
互いに異なる波長で発光する前記複数の発光部として、光出射面に近い層から、前記ハロゲン化銀感光材料のＲ、Ｇ、ＢあるいはＧ、Ｒ、Ｂのいずれかの発色に使用される波長の発光を行うよう積層されている、
ことを特徴とする請求項１乃至請求項１０のいずれかに記載の画像形成装置。
【請求項１２】
積層されて複数の発光部のうち、光出射面から最も遠い層の発光部の背面には、各発光部からの光を吸収するための光吸収部材を備える、
ことを特徴とする請求項１乃至請求項１１のいずれかに記載の画像形成装置。
【請求項１３】
積層されて隣接する層の発光部の互いに接する面の電極を共用するように構成されている、
ことを特徴とする請求項１乃至請求項１２のいずれかに記載の画像形成装置。
【発明の詳細な説明】
【技術分野】
【０００１】
本発明は、露光する画像データの画素に対応する複数個の記録素子が主走査方向に記録素子列として配置される記録ヘッドを有して記録材料に記録する画像形成装置に関し、特に、ｎｍ（ナノメータ）サイズの発光部の集合体である固体発光手段からなる記録ヘッドを用いた画像形成装置に関する。
【背景技術】
【０００２】
この種の画像形成装置としては、露光形成する画像データに基づいて主走査方向に複数配置した記録素子を個別に光出射駆動して、ハロゲン化銀感光材料などの記録材料上に対して露光画像を形成するものが存在している。
【０００３】
そして、この種の画像形成装置は、画像データに応じて記録材料に露光記録を行うミニラボとしても写真プリントに使用されている。
【０００４】
この種の画像形成装置の記録ヘッドとしては、以下の特許文献１に記載された自発光表示体が知られている。
【特許文献１】特開平８−１９２５３６号公報（第１頁、図１）
【発明の開示】
【発明が解決しようとする課題】
【０００５】
以上のような記録ヘッドとしては、個々の記録素子としては数十μm 程度のサイズ（マイクロメータサイズ）のものしか作成できず、画像形成装置として３００ドット／２５．４ｍｍ程度の解像度でしかなかった。このため、解像度の向上、すなわち、記録素子の小型化が望まれていた。
【０００６】
また、ハロゲン化銀感光材料などの感光材料にカラー記録を行う場合には、以上の主走査方向の記録ヘッドを３原色分（３ライン分）を並べて配置している。ここで、各記録ヘッドの主走査方向の位置ズレが主走査方向の主走査方向の画素ズレを招くことになる。一方、感光材料を搬送中に、搬送速度を考慮してタイミングを調整して３原色の記録ヘッドに記録信号を供給しているが、この際のタイミングのズレが副走査方向の画素ズレを招くことになる。近年高速記録のため高速搬送が行われており、これにより、副走査方向の画素ズレが一層生じやすくなっている。このような画素ズレは色ずれとして現れるものであり、文字などを記録する際には著しく品位が低下する問題を有していた。
【０００７】
一方、特開２００３−１１５３８５号公報には、ｎｍ（ナノメータ）サイズの発光部の集合体である固体発光手段からなる発光装置が提案されている。このナノメータサイズの発光部の場合、ミニラボなどで使用される画像形成装置の記録ヘッドの１０００倍以上の細かさであるもの、各発光部が小さすぎて高精細過ぎること、および、発光部が小さくなるに伴い十分なダイナミックレンジやＳＮ比が確保できないといった問題を有している。このため、このナノメータサイズの発光部を有する発光装置を、ハロゲン化銀感光材料などの記録材料に露光記録する画像形成装置にそのまま流用することはできないという問題が存在していた。
【０００８】
また、以上の特開２００３−１１５３８５号公報記載の高精細の発光装置をハロゲン化銀感光材料のカラー記録に適用した場合には、上述した主走査方向および副走査方向の画素ズレの補正の問題が生じることに変わりはない。
【０００９】
本発明は、以上の課題に鑑みてなされたものであって、ｎｍ（ナノメータ）サイズの発光部の集合体である固体発光手段からなる発光装置を用いて、画素ズレのない状態でカラー画像記録を行うことが可能な画像形成装置を実現することを目的とする。
【課題を解決するための手段】
【００１０】
すなわち、課題を解決する手段としての本発明は以下に説明するようなものである。
【００１１】
（１）請求項１記載の発明は、記録ヘッドを用いて、記録材料に記録を行う画像形成装置であって、前記記録ヘッドは、ｎｍ（ナノメータ）サイズの絶縁被膜結晶微粒子とナノメータサイズの蛍光体微粒子とを積層または混合した発光薄膜と、この発光薄膜を挟持すると共に印加される電圧により前記発光薄膜を発光せしめる電極とからなる発光部を有し、絶縁被膜結晶微粒子と蛍光体微粒子とのいずれかの組成を変えることで互いに異なる波長で発光する複数の発光部が積層して構成されている、ことを特徴とする画像記録装置である。
【００１２】
この発明では、記録ヘッドを用いて、記録材料に記録を行う際に、絶縁被膜結晶微粒子と蛍光体微粒子とのいずれかの組成を変えることで互いに異なる波長で発光する複数の発光部が積層して構成されているため、１記録素子毎に複数色の発光による露光が可能になる。
【００１３】
（２）請求項２記載の発明は、前記複数の発光部のうちの少なくとも最も光出射面に近くに設けられた以外の発光部について、光出射面側に透過させるべき波長以外の光を遮断する光学フィルタ手段が設けられた、ことを特徴とする請求項１記載の画像記録装置である。
【００１４】
この発明では、発光部について、光出射面側に透過させるべき波長以外の光を遮断する光学フィルタ手段が設けられていて、出射方向以外に光が進入できないため、各発光部から出射された光が出射方向と逆側に進むことができなくなる。
【００１５】
（３）請求項３記載の発明は、記録すべきデータに応じて前記発光部の発光状態を制御する制御手段を備え、前記制御手段は、積層された複数の各発光部について、時分割で異なるタイミングで発光させる、ことを特徴とする請求項１または請求項２のいずれかに記載の画像形成装置である。
【００１６】
この発明では、積層された複数の各発光部について、時分割で異なるタイミングで発光させるようにしているので、各発光部から出射された光が他の発光部の発光状態に影響を与えることが無くなる。
【００１７】
（４）請求項４記載の発明は、前記発光部として、積層された発光部のそれぞれで、複数発光部の集合領域を１記録素子に対応させておき、記録すべきデータに応じて前記発光部の発光状態を制御する制御手段を備え、前記制御手段は、積層された複数のそれぞれの発光部について、集合領域内で発光させる領域を変化させる、ことを特徴とする請求項１または請求項２のいずれかに記載の画像形成装置である。
【００１８】
この発明では、積層された複数のそれぞれの発光部について、集合領域内で発光させる領域を変化させるようにしている。
【００１９】
（５）請求項５記載の発明は、記録すべきデータに応じて前記発光部の発光状態を変化させるように駆動する駆動手段を備え、前記駆動手段は、記録すべきデータに応じて、発光部に印加する電圧を変化させる、ことを特徴とする請求項１乃至請求項４のいずれかに記載の画像形成装置である。
【００２０】
この発明では、記録すべきデータに応じて、発光部に印加する電圧を変化させて発光部の発光状態を変化させるように駆動する。
【００２１】
（６）請求項６記載の発明は、記録すべきデータに応じて前記発光部の発光状態を変化させるように駆動する駆動手段を備え、前記駆動手段は、記録すべきデータに応じて、単位時間内の発光部の発光回数を変化させる、ことを特徴とする請求項１乃至請求項４のいずれかに記載の画像形成装置である。
【００２２】
この発明では、記録すべきデータに応じて、単位時間内の発光部の発光回数を変化させることで発光部の発光状態を変化させるように駆動する。
【００２３】
（７）請求項７記載の発明は、記録すべきデータに応じて前記発光部の発光状態を変化させるように駆動する駆動手段を備え、前記駆動手段は、記録すべきデータに応じて、単位時間内の発光部の発光時間を変化させる、ことを特徴とする請求項１乃至請求項４のいずれかに記載の画像形成装置である。
【００２４】
この発明では、記録すべきデータに応じて、単位時間内の発光部の発光時間を変化させることで発光部の発光状態を変化させるように駆動する。
【００２５】
（８）請求項８記載の発明は、前記発光部として、積層された発光部のそれぞれで、複数発光部の集合領域を１記録素子に対応させておき、前記発光部の集合領域をアレイ状に少なくとも主走査方向記録領域をカバーするように複数配置する、ことを特徴とする請求項１乃至請求項７のいずれかに記載の画像形成装置である。
【００２６】
この発明では、複数発光部の集合領域を１記録素子とし、この発光部の集合領域をアレイ状に少なくとも主走査方向記録領域をカバーするように複数配置している。
【００２７】
（９）請求項９記載の発明は、記録すべきデータに応じて前記発光部の発光状態を制御する制御手段を備え、前記発光部として、積層された発光部のそれぞれで、複数発光部の集合領域を１記録素子に対応させておき、前記制御手段は、発光中の発光部が対応する記録素子に隣接する記録素子の発光部を発光させないように制御する、ことを特徴とする請求項１乃至請求項８のいずれかに記載の画像形成装置である。
【００２８】
この発明では、積層された発光部のそれぞれで、複数発光部の集合領域を１記録素子に対応させておき、発光中の発光部が対応する記録素子に隣接する記録素子の発光部を発光させないように制御している。
【００２９】
（１０）請求項１０記載の発明は、記録すべきデータに応じて前記発光部の発光状態を制御する制御手段を備え、前記発光部として、積層された発光部のそれぞれで、複数発光部の集合領域を１記録素子に対応させておき、前記制御手段は、前記各集合領域の発光量が均一になるように発光状態を制御する、ことを特徴とする請求項１乃至請求項９のいずれかに記載の画像形成装置である。
【００３０】
この発明では、積層された発光部のそれぞれで、複数発光部の集合領域を１記録素子に対応させておき、各集合領域の発光量が均一になるように発光状態を制御している。
【００３１】
（１１）請求項１１記載の発明は、前記記録材料としてハロゲン化銀感光材料に露光記録を行う画像形成装置であって、互いに異なる波長で発光する前記複数の発光部として、光出射面に近い層から、前記ハロゲン化銀感光材料のＲ、Ｇ、ＢあるいはＧ、Ｒ、Ｂのいずれかの発色に使用される波長の発光を行うよう積層されている、ことを特徴とする請求項１乃至請求項１０のいずれかに記載の画像形成装置である。
【００３２】
この発明では、記録材料としてハロゲン化銀感光材料に露光記録を行う際に、複数の発光部として、光出射面に近い層から、前記ハロゲン化銀感光材料のＲ、Ｇ、ＢあるいはＧ、Ｒ、Ｂのいずれかの発色に使用される波長の発光を行うよう積層されている。
【００３３】
（１２）請求項１２記載の発明は、積層されて複数の発光部のうち、光出射面から最も遠い層の発光部の背面には、各発光部からの光を吸収するための光吸収部材を備える、ことを特徴とする請求項１乃至請求項１１のいずれかに記載の画像形成装置である。
【００３４】
この発明では、積層されて複数の発光部のうち、光出射面から最も遠い層の発光部の背面（光出射側でない面）には、各発光部からの光を吸収するための光吸収部材を備えて構成されている。
【００３５】
（１３）請求項１３記載の発明は、積層されて隣接する層の発光部の互いに接する面の電極を共用するように構成されている、ことを特徴とする請求項１乃至請求項１１のいずれかに記載の画像形成装置である。
【００３６】
この発明では、積層されて隣接する層の発光部の互いに接する面の電極を共用するように構成されているため、光の透過率が良くなり、反射，散乱，吸収などが少なくなる。
【発明の効果】
【００３７】
以上、説明したように、本発明によれば、以下のような効果が得られる。
【００３８】
（１）請求項１記載の発明では、記録ヘッドを用いて、記録材料に記録を行う際に、絶縁被膜結晶微粒子と蛍光体微粒子とのいずれかの組成を変えることで互いに異なる波長で発光する複数の発光部が積層して構成されているため、１記録素子毎に複数色の発光が可能になる。この結果、ｎｍ（ナノメータ）サイズの発光部の集合体である記録ヘッドを用いて、主走査方向および副走査方向の画素ズレの補正の問題が生じない状態のカラー画像記録を行うことが可能になる。
【００３９】
（２）請求項２記載の発明では、発光部について、光出射面側に透過させるべき波長以外の光を遮断する光学フィルタ手段が設けられていて、出射方向以外に光が進入できないため、各発光部から出射された光が出射方向と逆側に進むことができなくなる。この結果、各発光部から出射された光が他の発光部の発光状態に影響を与えることが無くなり、ｎｍ（ナノメータ）サイズの発光部の集合体である記録ヘッドを用いて安定した発光による安定した画素ズレのないカラー画像記録を行うことが可能になる。
【００４０】
また、界面での散乱や乱反射などが低減されるので、画像のにじみを有効に防止できる。
【００４１】
（３）請求項３記載の発明では、積層された複数の各発光部について、時分割で異なるタイミングで発光させるようにしているので、各発光部から出射された光が他の発光部の発光状態に影響を与えることが無くなる。この結果、ｎｍ（ナノメータ）サイズの発光部の集合体である記録ヘッドを用いて安定した発光による安定した画素ズレのないカラー画像記録を行うことが可能になる。
【００４２】
（４）請求項４記載の発明では、積層された複数のそれぞれの発光部について、集合領域内で発光させる領域を変化させるようにしている。この結果、ｎｍ（ナノメータ）サイズの発光部の集合体である記録ヘッドを用いて、階調を有する状態で安定した発光による安定した画素ズレのないカラー画像記録を行うことが可能になる。
【００４３】
（５）請求項５記載の発明では、記録すべきデータに応じて、発光部に印加する電圧を変化させて発光部の発光状態を変化させるように駆動する。この結果、ｎｍ（ナノメータ）サイズの発光部の集合体である記録ヘッドを用いて、階調を有する状態で安定した発光による安定した画素ズレのないカラー画像記録を行うことが可能になる。
【００４４】
（６）請求項６記載の発明では、記録すべきデータに応じて、単位時間内の発光部の発光回数を変化させることで発光部の発光状態を変化させるように駆動する。この結果、ｎｍ（ナノメータ）サイズの発光部の集合体である記録ヘッドを用いて、階調を有する状態で安定した発光による安定した画素ズレのないカラー画像記録を行うことが可能になる。
【００４５】
（７）請求項７記載の発明では、記録すべきデータに応じて、単位時間内の発光部の発光時間を変化させることで発光部の発光状態を変化させるように駆動する。この結果、ｎｍ（ナノメータ）サイズの発光部の集合体である記録ヘッドを用いて、階調を有する状態で安定した発光による安定した画素ズレのないカラー画像記録を行うことが可能になる。
【００４６】
（８）請求項８記載の発明では、複数発光部の集合領域を１記録素子とし、この発光部の集合領域をアレイ状に少なくとも主走査方向記録領域をカバーするように複数配置している。この結果、記録ヘッドもしくは記録材料の少なくとも一方を副走査方向に移動させることで、記録材料における二次元の記録が行えるようになり、ｎｍ（ナノメータ）サイズの発光部の集合体である記録ヘッドを用いて、安定した発光による安定した画素ズレのないカラー画像記録を行うことが可能になる。
【００４７】
（９）請求項９記載の発明では、積層された発光部のそれぞれで、複数発光部の集合領域を１記録素子に対応させておき、発光中の発光部が対応する記録素子に隣接する記録素子の発光部を発光させないように制御している。この結果、隣接する記録素子間の同時発光の影響が無くなり、記録材料における露光記録が発光部の集合領域の範囲内でほぼ均一に行われるようになり、良好な記録特性を実現しつつ、安定した発光による安定した画素ズレのないカラー画像記録を行うことが可能になる。
【００４８】
（１０）請求項１０記載の発明では、積層された発光部のそれぞれで、複数発光部の集合領域を１記録素子に対応させておき、各集合領域の発光量が均一になるように発光状態を制御している。この結果、記録材料における露光記録が発光部の集合領域毎にほぼ均一に行われるようになり、画素単位の輝度ムラや色ムラが発生しない状態で、安定した発光による安定した画素ズレのないカラー画像記録を行うことが可能になる。
【００４９】
（１１）請求項１１記載の発明では、記録材料としてハロゲン化銀感光材料に露光記録を行う際に、複数の発光部として、光出射面に近い層から、前記ハロゲン化銀感光材料のＲ、Ｇ、ＢあるいはＧ、Ｒ、Ｂのいずれかの発色に使用される波長の発光を行うよう積層されている。ここで、ハロゲン化銀感光材料は一般的にＢの発色の感度が最も高いので、感度の高い発色に使用される発光を積層の際の背面側に配置し、感度の低い発色に使用される発光を積層の際の前面側に配置する。この結果、記録材料の感度の高い領域での光は積層による減衰を受けても十分な光量を確保でき、記録材料の感度の低い領域での光は積層による減衰を受けずに十分な光量を確保でき、記録材料における各色の露光記録に必要な光量を容易に得ることができ、安定した発光による安定した画素ズレのないカラー画像記録を行うことが可能になる。
【００５０】
（１２）請求項１２記載の発明では、積層されて複数の発光部のうち、光出射面から最も遠い層の発光部の背面（光出射側でない面）には、各発光部からの光を吸収するための光吸収部材を備えて構成されている。この結果、記録材料におけるカラー記録の際に、各発光部からの光が反射や散乱することがなくなり、コントラストの良い、安定した発光による安定した画素ズレのないカラー画像記録を行うことが可能になる。
【００５１】
（１３）請求項１３記載の発明では、積層されて隣接する層の発光部の互いに接する面の電極を共用するように構成されているため、光の透過率が良くなり、反射，散乱，吸収などが少なくなり、コントラストの良い、安定した発光による安定した画素ズレのないカラー画像記録を行うことが可能になる。
【発明を実施するための最良の形態】
【００５２】
以下、図面を参照して本発明の実施をするための最良の形態を詳細に説明する。
【００５３】
本発明の実施をするための最良の形態の画像形成装置について、図面を参照しつつ説明を行なう。
【００５４】
ここでは、本発明の実施をするための最良の形態（以下、実施形態）である画像形成装置をデジタルミニラボ機などのデジタルプリントシステムに適用した場合の実施形態を図面を参照して詳細に説明する。
【００５５】
本実施形態で例示するデジタルプリントシステムＤＰＳは、いわゆるデジタルミニラボ機として一般に広く知られているものである。
【００５６】
〈画像形成装置の概略全体構成〉
図５に外観を示すように、現像処理済みの銀塩写真ポジフィルムあるいは銀塩写真ネガフィルム（以下、単に「銀塩フィルム」と略称する）や各種メモリーカード，ＭＯディスクあるいはＣＤ−Ｒディスク等の記憶媒体から写真プリントを作製するための画像データを入力する画像入力装置ＩＲと、画像入力装置ＩＲにて入力された画像データを写真記録材料である印画紙２に露光処理する露光・現像装置ＥＰとから構成されている。
【００５７】
なお、画像入力装置ＩＲと露光・現像装置ＥＰとは図５に示されるように接続ケーブルで接続されていてもよいし、また、画像入力装置ＩＲと露光・現像装置ＥＰとは一体に構成されていてもよいし、さらに、ネットワーク接続によって互いに離れた位置に設定されていてもよい。
【００５８】
画像入力装置ＩＲには、銀塩フィルム１のコマ画像を読み取るフィルムスキャナ３と、メモリーリーダ，ＭＯドライブ及びＣＤ−Ｒドライブ等を備えた外部入出力装置４と、汎用小型コンピュータシステムにて構成されて、フィルムスキャナ３や外部入出力装置４の制御のほかデジタルプリントシステムＤＰＳ全体の管理を実行する主制御装置６とが備えられている。
【００５９】
更に、主制御装置６には、仕上がりプリント画像をシミュレートしたシミュレート画像や各種の制御用の情報を表示するモニタ６ａと、露光条件の手動設定等や制御情報の入力操作をするための操作卓６ｂとが接続されている。
【００６０】
露光・現像装置ＥＰは、筐体内部に、プリンタ部と、プリンタ部にて露光された印画紙を現像処理する現像処理部と、現像処理部内の印画紙搬送系の制御や現像処理液の管理を行う現像制御装置と、露光・現像装置ＥＰ全体を制御するプリンタ制御装置と、筐体上面に配置された印画紙マガジンから引き出された印画紙を多数の搬送ローラ等にて現像処理部へ搬送する印画紙搬送系とが設けられている。
【００６１】
ここで、プリンタ部では、発明を実施するための最良の形態の特徴部分である記録ヘッドを備えて構成されている。
【００６２】
〈画像形成装置の主要部の構成〉
図１は発明を実施するための最良の形態（以下、「実施形態」）としての記録材料に露光記録を行う画像形成装置の主要部の構成を示す構成図である。
【００６３】
ここで、１０１は画像形成装置の各部や露光記録についての制御を行う制御手段としての制御部、１０２は制御部１０１の制御に従い記録ヘッドを駆動する駆動手段としての駆動部、１１０はハロゲン化銀感光材料などの記録媒体である記録材料Ｐを制御手段１０１の制御や駆動部１０２の駆動に基づいて副走査方向に移動させる副走査部である。なお、副走査部１１０は記録材料Ｐを副走査方向に移動させる代わりに記録ヘッド１２０を副走査方向に移動させてもよいし、また、記録材料Ｐと記録ヘッド１２０の両方を相対的に移動させるようにしてもよい。
【００６４】
１２０（１２０Ｂ，１２０Ｇ，１２０Ｒ）は記録色毎の発光部が積層構造に一体化して構成された記録ヘッドである。ここで、記録ヘッド１２０は、それぞれは露光する画像データの画素に対応する複数個の記録素子が主走査方向に記録素子列として配置されており、かつ、各記録素子は複数の発光部から構成された記録ヘッド（図１（ｂ）参照）である。
【００６５】
なお、図１（ｂ）に示すように、記録ヘッド１２０は主走査方向の記録幅および記録解像度に応じて、数千個程度の複数の記録素子が主走査方向に記録素子列として配置されている。
【００６６】
また、図１（ｃ）に示すように、記録ヘッド１２０を構成する１記録素子は、ｍ×ｍ個の発光部の集合領域として構成されている。
【００６７】
なお、記録ヘッド１２０は、ナノメータサイズの絶縁被膜結晶微粒子とナノメータサイズの蛍光体微粒子とを積層または混合した発光薄膜と、この発光薄膜を挟持する透明な前面電極（光出射面側の電極）および透明な背面電極（光出射面の反対面の電極）と、からなる発光部の集合体である固体発光手段による発光部が積層した構造に構成されている。
【００６８】
すなわち、ナノメータサイズの発光部の集合体からなる固体発光手段を、個々の発光単位である発光部、発光部の集合領域であり記録画素に対応した記録素子、と区分けしている。なお、この区分けは電気的なものであり、機械的な区分けは必要ない。
【００６９】
なお、この実施形態における「ナノメータサイズの発光部」とは、従来のμm サイズの発光体と区別するものであり、独立して発光しうる個々の発光部の直径あるいは一辺の寸法が１ｎｍ〜９９９ｎｍの範囲にあるものをいう。
【００７０】
ここで、ナノメータサイズの発光部の集合体である固体発光手段の概略について説明を行う。
【００７１】
この実施形態の固体発光手段は、ｎｍ（ナノメータ）サイズの絶縁被膜結晶微粒子とナノメータサイズの蛍光体微粒子とを積層または混合した発光薄膜と、この発光薄膜を挟持する透明な前面電極および背面電極と、から構成した発光部を有し、前面電極と背面電極との間に直流または交流電圧を印加して発光表示する、ものである。
【００７２】
この固体発光手段において、ナノメータサイズの絶縁被膜結晶微粒子は、ナノメータサイズの半導体または金属の単結晶微粒子と、単結晶微粒子の表面を覆うｎｍ厚さの絶縁膜とからなることを特徴とする。この実施形態の固体発光手段において、好ましくは、ナノメータサイズの単結晶微粒子は、真性または不純物ドープナノメータサイズのＳｉ単結晶微粒子であり、絶縁膜はＳｉ単結晶微粒子の表面を覆うｎｍ厚さのＳｉＯ2  膜である。また、好ましくは、ナノメータサイズの蛍光体微粒子は、紫外光から可視光領域に対応するバンドギャップエネルギーを有する半導体微粒子である。前記ナノメータサイズの蛍光体微粒子は、ドナーまたはアクセプター、或いは、ドナー及びアクセプターを有していてもよい。また、前記ナノメータサイズの蛍光体微粒子は、発光原子または発光原子イオンをドープした半導体微粒子であってもよい。
【００７３】
以上の構成で、背面電極と前面電極に印加された電圧は発光薄膜中のナノメータサイズの絶縁被膜結晶微粒子のｎｍ厚さの絶縁膜に分配され、背面電極から注入された電子は絶縁膜の電界によって加速され、絶縁膜をトンネリングまたは共鳴トンネリングして通過し、ナノメータサイズの単結晶微粒子をフォノンによる散乱を受けることなく通過する。
【００７４】
なお、この種の説明は、特開2001-332168号公報（量子サイズ効果型微小電子銃及びこの電子銃を使用した平面型ディスプレイ装置）の明細書にも記載されている。
【００７５】
すなわち、隣接する絶縁被膜結晶微粒子ごとに上記過程を繰り返し、電子は大きな運動エネルギーを獲得しナノメータサイズの蛍光体微粒子に衝突する。電子の運動エネルギーが蛍光体微粒子のバンドギャップエネルギー以上であれば、蛍光体微粒子中に電子とホールを生成し、電子とホールが自由励起子を形成する。蛍光体微粒子はナノメータサイズであるので、電子とホールは互いにナノメータサイズの空間に閉じ込められるから自由励起子の濃度が高まり、自由励起子の消滅による発光強度が大きくなる。また、蛍光体微粒子がドナーまたはアクセプター、或いは、ドナー及びアクセプターを有している場合には、生成した電子とホールがドナーまたはアクセプター、或いは、ドナー及びアクセプターを介して束縛励起子を形成する。蛍光体微粒子はナノメータサイズであるので、電子とホールは互いにナノメータサイズの空間に閉じ込められるから、束縛励起子の濃度が高まり、束縛励起子の消滅による発光強度が大きくなる。また、絶縁被膜結晶微粒子によって大きな運動エネルギーを有する電子が多量に生成されるので、蛍光体微粒子中の発光原子または発光原子イオンが多量に励起されて発光強度が大きくなる。
【００７６】
このように本実施形態では、無損失で電子を加速でき、かつ励起子濃度が高いので発光効率が高く、かつ輝度が高い。また、発光薄膜が薄くかつ発光薄膜自身が発光するので極めて薄くできる。また、印加電圧が低いので信頼性が高い。
【００７７】
また、この実施形態の固体発光手段は、前面電極と背面電極がマトリックス状電極に形成され、前面電極と背面電極との交差部分を画素として単純マトリックス（パッシブマトリックス）駆動されることを特徴とする。この構成では、高効率、高輝度、薄型、かつ信頼性の高い、画像表示装置を提供することができる。
【００７８】
さらに、この実施形態の固体発光手段は、走査配線と信号配線がマトリックス状電極に形成され、走査配線と信号配線との交差部分に薄膜トランジスタが配設され、薄膜トランジスタのゲート電極が走査配線に接続され、薄膜トランジスタのドレイン電極が信号配線に接続され、薄膜トランジスタのソース電極が画素電極に接続され、画素電極と前面電極とで発光薄膜が挟持され、走査配線と信号配線とを選択して画素毎に薄膜トランジスタによるアクティブマトリックス駆動されることを特徴としている。この構成では、隣り合う画素との消光比を高くできるので、高効率、高輝度、薄型、信頼性の高い、かつ極めて高分解能の画像表示装置を提供することができる。
【００７９】
つぎに、この実施形態の固体自発光装置の製造方法は、ＳｉＨ4  ガスを熱分解して空間に浮遊状態のナノメータサイズのＳｉ単結晶微粒子を生成し、Ｓｉ単結晶微粒子を浮遊状態のままＯ2  ガス雰囲気中に搬送してＳｉ単結晶微粒子の表面をｎｍ厚さのＳｉＯ2  膜で被覆することを特徴としている。この構成では、Ｓｉ単結晶微粒子が空間に浮遊状態で生成されるから、また、浮遊状態でＳｉ単結晶微粒子の表面にＳｉＯ2  膜が形成されるから、Ｓｉ単結晶微粒子同士が接触して結合してしまうことがなく、互いに分離したＳｉＯ2被膜Ｓｉ単結晶微粒子を得ることができる。
【００８０】
上記方法に代えて、ナノメータサイズの絶縁被膜結晶微粒子とナノメータサイズの蛍光体微粒子をそれぞれの溶媒に溶かし、それぞれの溶媒に基板を浸積して引き上げて、基板上に絶縁被膜結晶微粒子層と蛍光体微粒子層を積層することで固体自発光装置を製造することができる。この構成では、ナノメータサイズの絶縁被膜結晶微粒子を溶かした溶媒に基板を浸漬して引き上げることにより、絶縁被膜結晶微粒子が互いに蜜に配列した絶縁被膜結晶微粒子一層からなる絶縁被膜結晶微粒子層が基板上に積層される。所定の層厚になるまで上記工程を繰り返し、次に、蛍光体微粒子を溶かした溶媒に基板を浸漬して引き上げることにより、絶縁被膜結晶微粒子層上に蛍光体微粒子が互いに蜜に配列した蛍光体微粒子一層からなる蛍光体微粒子層が積層される。所定の層厚になるまで上記工程を繰り返すことにより、所望の膜厚の絶縁被膜結晶微粒子層と所望の膜厚の蛍光体微粒子層とが積層された発光薄膜が得られる。この方法では、微粒子間の隙間が無く、従って高効率で発光させることができる。また、特別な装置を必要とせず、極めて低コストで製造できる。
【００８１】
また、この実施形態の固体自発光装置の製造方法は、ナノメータサイズの絶縁被膜結晶微粒子とナノメータサイズの蛍光体微粒子とを共通の溶媒に溶かし、溶媒に基板を浸積して引き上げて、基板上にナノメータサイズの絶縁膜被覆結晶微粒子とナノメータサイズの蛍光体微粒子との混合層を積層することを特徴とする。この構成では、絶縁被膜結晶微粒子と蛍光体微粒子とが溶けた溶媒に基板を浸積し引き上げることによって、絶縁被膜結晶微粒子と蛍光体微粒子とが互いに密に配列した絶縁被膜結晶微粒子と蛍光体微粒子からなる一層が、基板上に堆積される。上記工程を繰り返して、所望の膜厚の発光薄膜が得られる。この方法では、微粒子間の隙間が少なく、従って高効率で発光させることができる。また、特別な装置を必要とせず、極めて低コストで製造できる。
【００８２】
好ましくは、前記ナノメータサイズの絶縁被膜結晶微粒子は、ナノメータサイズの半導体または金属の単結晶微粒子と、単結晶微粒子の表面を覆うｎｍ厚さの絶縁膜とからなっている。また、好ましくは、ナノメータサイズの単結晶微粒子は、真性または不純物ドープナノメータサイズのＳｉ単結晶微粒子であり、絶縁膜はＳｉ単結晶微粒子の表面を覆うｎｍ厚さのＳｉＯ2  膜とからなる。前記ナノメータサイズの蛍光体微粒子は、紫外光から可視光領域に対応するバンドギャップエネルギーを有する半導体微粒子であってもよい。またナノメータサイズの蛍光体微粒子は、ドナーまたはアクセプター、或いは、ドナー及びアクセプターを有していてもよい。さらに、ナノメータサイズの蛍光体微粒子は、発光原子または発光原子イオンをドープした半導体微粒子であってもよい。
【００８３】
なお、自由励起子エネルギーは母体の半導体結晶のバンドギャップエネルギーに依存するから、半導体の種類を選択することによって発光波長を選択できる。例えば、ＺｎＳを用いれば青（Ｂ）の発光が、ＧａＡｓを用いれば赤（Ｒ）の発光が得られる。また、蛍光体微粒子にドナーもしくはアクセプターがドープされている場合、ドナーあるいはアクセプターを介した励起子（束縛励起子）が生成される。また、ドナー及びアクセプターがドープされている場合、ドナーとアクセプターとを介して束縛励起子が生成される。この場合にも電子とホールは蛍光体微粒子内（ナノメータサイズの空間）に閉じ込められるのでクーロン相互作用が強く作用し、束縛励起子の生成確率が増大して、束縛励起子濃度が増大することになる。このように束縛励起子濃度が大きくなると、束縛励起子の消滅に伴って発生する発光強度が増大する。また、この場合、ドナーとアクセプターのエネルギー準位の深さに応じた波長の発光が得られる。たとえば、ＺｎＳにドナーとしてＡｌ、アクセプターとしてＣｕをドープすることで緑（Ｇ）の発光が得られる。
【００８４】
この場合、断面構成は図２および図３（ａ）のようになっている。ここで、図２は複数の発光部が積層して構成された状態を示しており、図３（ａ）は単一の発光部の様子を示している。
【００８５】
また、図３（ａ）の断面に相当する正面図は図３（ｂ）のようになっている。すなわち、この実施形態では、露光する画像データの画素に対応する複数個の記録素子が主走査方向に記録素子列として配置された記録ヘッド１２０として、ナノメータサイズの絶縁被膜結晶微粒子とナノメータサイズの蛍光体微粒子とを積層または混合した発光薄膜（発光体層１２１０）と、この発光薄膜を挟持する透明な前面電極層１２２０および背面電極１２３０とからなる発光部の集合体である固体発光手段で構成し、複数の発光部の集合からなる発光部群（複数の発光部の集合領域）で各記録素子を構成する（図１（ｂ）〜（ｃ））。
【００８６】
そして、図２に示すように、発光体層１２１０Ｂと前面電極層１２２０Ｂと背面電極１２３０Ｂとからなる発光部Ｂ、発光体層１２１０Ｇと前面電極層１２２０Ｇと背面電極１２３０Ｇとからなる発光部Ｇ、発光体層１２１０Ｒと前面電極層１２２０Ｒと背面電極１２３０Ｒとからなる発光部Ｒ、が積層構造に構成されて、記録ヘッド１２０を構成している。
【００８７】
また、この実施形態では、図４に示すように、積層構造に構成された各発光部の間に光学フィルタを設けることが可能である。ここでは、複数の発光部のうちの少なくとも最も光出射面に近くに設けられた以外の発光部について、光出射面側に透過させるべき波長以外の光を遮断する光学フィルタを設ける。
【００８８】
ここでは、最も光出射面に近い発光部１２０Ｒの光出射面を除き、発光部１２０Ｂと発光部１２０Ｇとの間に光学フィルタ１２４０ａを、発光部１２０Ｒと発光部１２０Ｇとの間に光学フィルタ１２４０ｂを、配置している。
【００８９】
ここで、発光部１２０Ｂと発光部１２０Ｇとの間の光学フィルタ１２４０ａは、発光部１２０Ｂからの光を出射方向に透過すると共に発光部１２０Ｇからの光が光出射と反対方向に進むのを遮断する特性を有する。  同時に、発光部１２０Ｇと発光部１２０Ｒとの間の光学フィルタ１２４０ｂは、発光部１２０Ｂと発光部１２０Ｇからの光を出射方向に透過すると共に発光部１２０Ｒからの光が光出射と反対方向に進むのを遮断する特性を有する。
【００９０】
この結果、各発光部から出射された光が他の発光部の発光状態に影響を与えることが無くなり、ｎｍ（ナノメータ）サイズの発光部の集合体である記録ヘッドを用いて安定した発光による安定した発光による安定した画素ズレのないカラー画像記録を行うことが可能になる。さらに、界面での散乱や乱反射などが低減されるので、画像のにじみを有効に防止できる。
【００９１】
また、この実施形態では、制御部１０１と駆動部１０２とは、記録すべきデータに応じて発光部１２０Ｂ，１２０Ｇ，１２０Ｒの発光状態を制御する際に、積層された複数の各発光部について、時分割で異なるタイミングで発光させる、ことが望ましい。
【００９２】
このようにすることで、積層された複数の各発光部について、時分割で異なるタイミングで発光させるようにしているので、各発光部から出射された光が他の発光部の発光状態に影響を与えることが無くなる。この結果、ｎｍ（ナノメータ）サイズの発光部の集合体である記録ヘッドを用いて安定した発光による安定した画素ズレのないカラー画像記録を行うことが可能になる。
【００９３】
また、この実施形態では、記録材料Ｐとしてハロゲン化銀感光材料に露光記録を行う画像形成装置の場合には、前記複数の発光部として、光出射面に近い層から、前記ハロゲン化銀感光材料のＲ、Ｇ、ＢあるいはＧ、Ｒ、Ｂのいずれかの発色に使用される波長の発光を行うよう積層されていることが望ましい。
【００９４】
ここで、ハロゲン化銀感光材料はＢの発色の感度が最も高いので、感度の高い発色に使用される発光を積層の際の背面側に配置し、感度の低い発色に使用される発光を積層の際の前面側に配置する。
【００９５】
この結果、記録材料の感度の高い領域での光は積層による減衰を受けても十分な光量を確保でき、記録材料の感度の低い領域での光は積層による減衰を受けずに十分な光量を確保でき、記録材料における各色の露光記録に必要な光量を容易に得ることができ、安定した画素ズレのないカラー画像記録を行うことが可能になる。
【００９６】
また、この実施形態では、積層されて複数の発光部のうち、光出射面から最も遠い層の発光部１２０Ｂの背面（光出射側でない面）には、各発光部からの光を吸収するための光吸収部材１２０１を備えて構成されていることが望ましい（図４参照）。この光吸収部材１２０１は、各発光部からの光を吸収する色や構造で構成されていて、各発光部からの光が反射や散乱することがなくなり、コントラストの良い、安定した画素ズレのないカラー画像記録を行うことが可能になる。
【００９７】
また、この実施形態において、積層されて隣接する層の発光部の互いに接する面の電極を共用することも望ましい。ここで、発光部１２０Ｂ、１２０Ｇ、１２０Ｒの順に積層されているとすると、１２２０Ｂ−１２２０Ｇを共用、かつ、１２３０Ｇー１２３０Ｒを共用とすることができる。あるいは、１２３０Ｂ−１２３０Ｇを共用、かつ、１２２０Ｇー１２２０Ｒを共用とすることができる。
【００９８】
この実施形態では、積層されて隣接する層の発光部の互いに接する面の電極を共用するように構成されているため、各層での反射が減少し、光の透過率が良くなり、反射，散乱，吸収などが少なくなり、コントラストの良い、安定した画素ズレのないカラー画像記録を行うことが可能になる。
【００９９】
そして、制御手段１０１および駆動部１０２は、各記録素子を発光させて階調記録を行う場合には、（１）各記録素子に含まれる複数の発光部の中で発光させる発光部を画像データの信号値に応じて変化させる、（２）記録素子に印加する電圧を変化させる、（３）単位時間内の記録素子の発光回数を変化させる、（４）単位時間内の記録素子の発光時間を変化させる、といった手法を用いることが可能である。
【０１００】
なお、電圧変化による制御、発光回数による制御、発光時間に関する制御は既知の手法を用いることが可能であるため、制御手段１０１および駆動部１０２が、各記録素子に含まれる複数の発光部の中で発光させる発光部を画像データの信号値に応じて変化させる場合を説明する。
【０１０１】
ここで、画像データの信号値が０〜２５５の２５６段階（８ビット）であれば、１記録素子を１６×１６の２５６個の発光部で構成しておき、信号値に応じて発光させる発光部の個数を変化させる。また、画像データの信号値が０〜４０９５の４０９６段階（１２ビット）であれば、１記録素子を２５６×２５６の４０９６個の発光部で構成しておき、信号値に応じて発光させる発光部の個数を変化させる。
【０１０２】
なお、この際に、ナノメータサイズの発光部の大きさと、記録素子の素子数の大きさとを調整するために、以上の具体例とは別の数値で複数発光部で１記録素子を構成しておくことも望ましい。
【０１０３】
たとえば、１０２４×１０２４の発光部で１記録素子を構成することで、ナノメータサイズの発光部を用いた場合にマイクロメータサイズの記録素子とすることができる。これにより、従来とほぼ同程度、あるいは従来と同程度でありながら、主走査方向および副走査方向の画素ズレの補正の問題が生じない、高解像度の記録素子を実現することができる。
【０１０４】
ここで、１記録素子を構成する発光部数を調整することで、解像度や階調について所望の値をとることが可能になる。また、もともとの発光部がナノメータサイズであるため、以上の調整により、階調数は従来と同じで解像度のみ向上させる、解像度は従来と同じで階調数のみ向上させる、解像度と階調数の両方を従来より向上させる、といったスペックも容易に実現することが可能になる。
【０１０５】
これにより、単独では十分なダイナミックレンジやＳＮ比を確保困難なナノメータサイズの発光部を用いた場合にも、複数の発光部子の集合からなる各記録素子を構成しておき、複数の発光部の中で発光させる発光部を画像データに信号値に応じて変化させることで、十分なダイナミックレンジやＳＮ比を確保して、信号値に忠実な露光による画像記録を実行することができる。
【０１０６】
すなわち、記録素子内の発光部の発光／非発光を制御する面積階調法であるため、個々の発光部の発光の輝度を変える必要が無くなり、個々の発光部の階調特性に配慮する必要が無くなり、安定した状態で十分なダイナミックレンジやＳＮ比を確保することが可能になる。
【０１０７】
また、複数の発光部の集合からなる発光部群で１記録素子を構成しておくことで、従来より１／１０００細かいナノメータサイズの発光部を用いた場合にも、適切かつ十分な解像度を得ることが可能になる。
【０１０８】
また、以上の実施形態では、複数の発光部からなる記録素子について、ｍ×ｍの正方形状としていたが、これに限定されるものではない。すなわち、主走査方向・副走査方向の解像度の比や要求される性能に応じて縦横比を任意に変更することが可能である。
【０１０９】
また、以上の実施形態では、記録素子内の発光部の発光／非発光を制御する面積階調法であったが、記録素子に印加する電圧を複数段階に制御することを組み合わせることで、さらに細かい階調表現が可能になる。すなわち、電圧：オフ／オンで面積階調とすることで１２ビットの階調を実現していた場合に、さらに、電圧：オフ／オン（小）／オン（大）として面積階調とすることで１３ビットの階調が実現できる。さらに、電圧：オフ／オン（レベル１）／オン（レベル２）／オン（レベル３）／オン（レベル４）として面積階調とすることで１６ビットの階調が実現できる。
【０１１０】
以上の場合、基本的には、記録素子内の発光部の発光／非発光を制御する面積階調法であり、個々の発光部の発光の輝度は従来より大まかに変えるだけでよいので、個々の発光部の階調特性に大きな影響を受けないため、ナノメータサイズの発光部を用いた場合にも安定した状態で十分なダイナミックレンジやＳＮ比を確保することが可能になる。
【０１１１】
また、この実施形態において、制御部１０１と駆動部１０２とは、発光中の発光部が対応する記録画素に隣接する記録画素の発光部を発光させないように制御することも望ましい。すなわち、偶数番目の記録素子と奇数番目の記録素子とを交互に発光させるように制御する。この結果、隣接する記録素子間の同時発光の影響が無くなり、記録材料における露光記録が発光部の集合領域の範囲内でほぼ均一に行われるようになり、良好な記録特性を実現しつつ、安定した画素ズレのないカラー画像記録を行うことが可能になる。
【０１１２】
また、この実施形態において、制御部１０１と駆動部１０２とで、各記録素子の発光量が均一になるように発光状態を制御することも望ましい。この場合、各記録素子は複数の発光部で構成されているため、標準状態として、記録素子に含まれる８０％あるいは９０％の個数の発光部を発光させておき、光量が不足する記録素子では発光させる発光部を増やすように、発光が過多な記録素子では発光させる発光部を減らすようにすればよい。この場合、記録素子毎に発光させる発光部の情報を制御部１０１あるいは駆動部１０２が有していればよい。この結果、記録材料における露光記録が発光部の集合領域毎にほぼ均一に行われるようになり、画素単位の輝度ムラや色ムラが発生しない状態で、安定した画素ズレのないカラー画像記録を行うことが可能になる。
【図面の簡単な説明】
【０１１３】
【図１】本発明の実施をする最良の形態の電気的構成を示す構成図である。
【図２】本発明の実施をする最良の形態の特徴部分の詳細な構成の一例を示す説明図である。
【図３】本発明の実施をする最良の形態の説明のための主要部の説明図である。
【図４】本発明の実施をする最良の形態の説明のための主要部の説明図である。
【図５】本発明の実施をする最良の形態である画像形成装置をデジタルミニラボ機などのデジタルプリントシステムに適用した場合の外観を示す説明図である。
【符号の説明】
【０１１４】
１０１  制御部
１０２  駆動部
１１０  副走査部
１２０  各色が積層された記録ヘッド
１２０Ｂ，１２０Ｇ，１２０Ｒ  各色ごとの記録ヘッド
【図１】
2005215164.tif 000003
【図２】
2005215164.tif 000004
【図３】
2005215164.tif 000005
【図４】
2005215164.tif 000006
【図５】
2005215164.tif 000007